(57)【要約】【課題】空調設定を行う際に、利用者が空調設定の対象となる室内における位置を容易に指定することができる環境設定端末を提供する。【解決手段】環境設定端末は、利用者が要求する要求環境設定に応じて空調用室内機の制御を行う空調制御装置に前記要求環境設定を設定する環境設定端末であって、前記空調用室内機が設置される室内のマップを表示するマップ表示部と、前記マップにおいて前記利用者が指定する位置の入力を受け付ける位置入力部と、前記利用者の要求環境設定を記憶する記憶部と、前記位置と前記要求環境設定とが関連付けられた利用者設定情報を、前記空調制御装置に送信する送信部と、を備える。【選択図】図５
2019027602.tif 000002
【特許請求の範囲】
【請求項１】
利用者が要求する要求環境設定に応じて空調用室内機の制御を行う空調制御装置に前記要求環境設定を設定する環境設定端末であって、
前記空調用室内機が設置される室内のマップを表示するマップ表示部と、
前記マップにおいて前記利用者が指定する位置の入力を受け付ける位置入力部と、
前記利用者の要求環境設定を記憶する記憶部と、
前記位置と前記要求環境設定とが関連付けられた利用者設定情報を、前記空調制御装置に送信する送信部と、
を備える環境設定端末。
【請求項２】
前記利用者が要求する要求環境設定を受け付ける環境入力部、
を備え、
前記記憶部は、
前記環境入力部が受け付ける前記要求環境設定を記憶する、
請求項１に記載の環境設定端末。
【請求項３】
前記空調用室内機が設置される前記室内の前記マップを示す情報を取得するマップ情報取得部、
を備え、
前記マップ表示部は、
前記マップ情報取得部が取得した前記マップを示す情報に含まれるマップを表示し、
前記位置入力部は、
前記マップ情報取得部が取得した前記マップにおいて前記利用者が指定する位置の入力を受け付ける、
請求項１または請求項２に記載の環境設定端末。
【請求項４】
前記マップ情報取得部は、
前記空調用室内機が設置される前記室内を所定の人物が移動中に、前記マップを示す情報を取得する、
請求項３に記載の環境設定端末。
【請求項５】
前記マップ情報取得部は、
前記空調用室内機が設置される前記室内の間取り情報またはＣＡＤ情報から前記マップを示す情報を取得する、
請求項３に記載の環境設定端末。
【請求項６】
空調用室内機と、
請求項１から請求項５の何れか一項に記載の環境設定端末と、
前記環境設定端末から受信する利用者が指定する位置と利用者が要求する要求環境設定とが関連付けられた利用者設定情報に基づいて、前記空調用室内機の制御を行う空調制御装置と、
を備える空調システム。
【請求項７】
利用者が要求する要求環境設定に応じて空調用室内機の制御を行う空調制御装置に前記要求環境設定を設定する環境設定端末が行う制御方法であって、
前記空調用室内機が設置される室内のマップを表示することと、
前記マップにおいて前記利用者が指定する位置の入力を受け付けることと、
前記利用者の要求環境設定を記憶することと、
前記位置と前記要求環境設定とが関連付けられた利用者設定情報を、前記空調制御装置に送信することと、
を含む制御方法。
【請求項８】
利用者が要求する要求環境設定に応じて空調用室内機の制御を行う空調制御装置に前記要求環境設定を設定する環境設定端末のコンピュータに、
前記空調用室内機が設置される室内のマップを表示することと、
前記マップにおいて前記利用者が指定する位置の入力を受け付けることと、
前記利用者の要求環境設定を記憶することと、
前記位置と前記要求環境設定とが関連付けられた利用者設定情報を、前記空調制御装置に送信することと、
を実行させるプログラム。
【発明の詳細な説明】
【技術分野】
【０００１】
本発明は、環境設定端末、空調システム、制御方法及びプログラムに関する。
【背景技術】
【０００２】
人物の存在する位置を取得して設定を変更する空調システムがある。特許文献１には、利用者の要求を送信するための送信手段のＩＤ情報に対応して設定されていた位置情報を取得し、または、固定された机や椅子に貼られた固有の位置情報を含む１次元バーコードや２次元バーコードを読み取ることによって認識される位置情報を取得して、その要求に応じた空調機の制御を行う技術が記載されている。
【先行技術文献】
【特許文献】
【０００３】
【特許文献１】特許第４７３７０３７号公報
【発明の概要】
【発明が解決しようとする課題】
【０００４】
ところで、空調システムでは、空調設定の対象となる位置を容易に指定できる技術が求められている。
【０００５】
そこで、空調設定を行う際に、利用者が空調設定の対象となる室内における位置を容易に指定することのできる技術が求められていた。
【０００６】
本発明は、上記の課題を解決することのできる環境設定端末、空調システム、制御方法及びプログラムを提供することを目的としている。
【課題を解決するための手段】
【０００７】
本発明の第１の態様によれば、環境設定端末は、利用者が要求する要求環境設定に応じて空調用室内機の制御を行う空調制御装置に前記要求環境設定を設定する環境設定端末であって、前記空調用室内機が設置される室内のマップを表示するマップ表示部と、前記マップにおいて前記利用者が指定する位置の入力を受け付ける位置入力部と、前記利用者の要求環境設定を記憶する記憶部と、前記位置と前記要求環境設定とが関連付けられた利用者設定情報を、前記空調制御装置に送信する送信部と、を備える。
【０００８】
本発明の第２の態様によれば、第１の態様における環境設定端末は、前記利用者が要求する要求環境設定を受け付ける環境入力部、を備え、前記記憶部は、前記環境入力部が受け付ける前記要求環境設定を記憶してもよい。
【０００９】
本発明の第３の態様によれば、第１の態様または第２の態様における環境設定端末は、前記空調用室内機が設置される前記室内の前記マップを示す情報を取得するマップ情報取得部、を備え、前記マップ表示部は、前記マップ情報取得部が取得した前記マップを示す情報に含まれるマップを表示し、前記位置入力部は、前記マップ情報取得部が取得した前記マップにおいて前記利用者が指定する位置の入力を受け付けてもよい。
【００１０】
本発明の第４の態様によれば、第３の態様における環境設定端末において、前記マップ情報取得部は、前記空調用室内機が設置される前記室内を所定の人物が移動中に、前記マップを示す情報を取得してもよい。
【００１１】
本発明の第５の態様によれば、第３の態様における環境設定端末において、前記マップ情報取得部は、前記空調用室内機が設置される前記室内の間取り情報またはＣＡＤ情報から前記マップを示す情報を取得してもよい。
【００１２】
本発明の第６の態様によれば、空調システムは、空調用室内機と、第１の態様から第５の態様の何れかにおける環境設定端末と、前記環境設定端末から受信する利用者が指定する位置と利用者が要求する要求環境設定とが関連付けられた利用者設定情報に基づいて、前記空調用室内機の制御を行う空調制御装置と、を備える。
【００１３】
本発明の第７の態様によれば、制御方法は、利用者が要求する要求環境設定に応じて空調用室内機の制御を行う空調制御装置に前記要求環境設定を設定する環境設定端末が行う制御方法であって、前記空調用室内機が設置される室内のマップを表示することと、前記マップにおいて前記利用者が指定する位置の入力を受け付けることと、前記利用者の要求環境設定を記憶することと、前記位置と前記要求環境設定とが関連付けられた利用者設定情報を、前記空調制御装置に送信することと、を含む。
【００１４】
本発明の第８の態様によれば、プログラムは、利用者が要求する要求環境設定に応じて空調用室内機の制御を行う空調制御装置に前記要求環境設定を設定する環境設定端末のコンピュータに、前記空調用室内機が設置される室内のマップを表示することと、前記マップにおいて前記利用者が指定する位置の入力を受け付けることと、前記利用者の要求環境設定を記憶することと、前記位置と前記要求環境設定とが関連付けられた利用者設定情報を、前記空調制御装置に送信することと、を実行させる。
【発明の効果】
【００１５】
本発明の実施形態による環境設定端末、空調システム、制御方法及びプログラムによれば、空調設定を行う際に、利用者が空調設定の対象となる室内における位置を容易に指定することができる。
【図面の簡単な説明】
【００１６】
【図１】本発明の一実施形態による空調システムの構成を示す図である。
【図２】本発明の一実施形態によるマップの一例を示す第１の俯瞰図である。
【図３】本発明の一実施形態によるマップの一例を示す第２の俯瞰図である。
【図４】本発明の一実施形態による空調用室内機の構成を示す図である。
【図５】本発明の一実施形態による環境設定端末の構成を示す図である。
【図６】本発明の一実施形態によるマップ情報の取得を説明するための図である。
【図７】本発明の一実施形態において元画像から直線または曲線を生成するイメージを示す図である。
【図８】本発明の一実施形態において元画像におけるノイズの影響の低減を説明するための図である。
【図９】本発明の一実施形態による表示部の表示例を示す図である。
【図１０】本発明の一実施形態による空調制御装置の構成を示す図である。
【図１１】本発明の一実施形態による環境設定端末の処理フローを示す図である。
【図１２】少なくとも１つの実施形態に係るコンピュータの構成を示す概略ブロック図である。
【発明を実施するための形態】
【００１７】
＜実施形態＞
以下、図面を参照しながら実施形態について詳しく説明する。
本発明の一実施形態による空調システム１の構成について説明する。
本発明の一実施形態による空調システム１は、利用者が指定した空調用室内機が設置される室内のマップにおける位置の情報を取得することにより、その位置の空調を制御するシステムである。
空調システム１は、図１に示すように、空調用室内機１０と、環境設定端末２０と、空調制御装置３０と、を備える。
【００１８】
空調用室内機１０は、利用者が指定する位置に空気を送る。
環境設定端末２０は、空調用室内機１０が設置される室内のマップにおいて利用者が指定する位置と、要求環境設定とが関連付けられた利用者設定情報を、空調制御装置３０に送信する。
ここで、空調用室内機１０が設置される室内のマップとは、例えば、図２に示すように、空調用室内機１０が設置される室内を３１個の領域に分割し、室内を俯瞰したマップである。それぞれの領域には、領域番号１〜３１が付与され、領域番号を特定することは、室内における位置を特定したことを意味する。なお、それぞれの領域は、領域番号の代わりに図３に示すように、座標によって特定されるものであってもよい。この座標は、例えば、各領域の中央の座標を採用するものであってもよいし、各領域の所定の位置（例えば、図３における各領域の左下の位置）の座標を採用するものであってもよい。なお、図３は図２に示した領域番号１２に対応する座標の例を示しており、図３において領域番号１２以外の領域番号に対応する座標については省略されている。
また、要求環境設定とは、利用者が指定する位置における利用者が要求する環境の設定値であって、利用者が指定する位置における温度と風量とを少なくとも含む設定値である。
【００１９】
空調制御装置３０は、利用者設定情報に基づいて、空調用室内機１０を制御する。具体的には、空調制御装置３０は、利用者設定情報を環境設定端末２０から受信し、受信した利用者設定情報に含まれる利用者が指定する位置に対して、要求環境設定が示す温度と風量の設定値を実現する制御信号を特定し、特定した制御信号を空調用室内機１０に送信することによって空調用室内機１０を制御する。要求環境設定が示す温度と風量の設定値を実現する制御信号は、例えば、予めシミュレーションや実験などにより求めておき、記憶部に記憶しておく。
【００２０】
空調用室内機１０は、図４に示すように、通信部１０１と、送風機構１０２と、を備える。
通信部１０１は、空調制御装置３０と通信を行う。通信部１０１は、要求環境設定が示す設定値を実現する制御信号を空調制御装置３０から受信する。
【００２１】
送風機構１０２は、通信部１０１が受信した制御信号に応じた温度、風量、風向などで送風する。
【００２２】
環境設定端末２０は、図５に示すように、マップ情報取得部２０１と、表示部２０２（マップ表示部の一例）と、入力部２０３（位置入力部の一例、環境入力部の一例）と、記憶部２０４と、通信部２０５（送信部の一例）と、を備える。環境設定端末２０は、例えば、スマートフォンである。
【００２３】
マップ情報取得部２０１は、空調用室内機１０が設置される室内のマップを示す情報を取得する。
具体的には、マップ情報取得部２０１は、空調用室内機１０が設置される室内を環境設定端末２０を所持する人物が移動中に、マップを示す情報を取得する。
例えば、空調用室内機１０を室内に設置する際に、設置担当者が環境設定端末２０を所持し、図６に示すように、室内を壁に沿って移動する。設置担当者が室内を移動中に、マップ情報取得部２０１は、例えば、加速度センサやジャイロセンサなどのセンサ情報に基づいて、移動方向と移動距離を算出し、部屋の形状を取得する。このマップ情報取得部２０１が加速度センサやジャイロセンサなどの情報に基づいて算出する移動方向と移動距離は、例えば、ＧＰＳ（Ｇｌｏｂａｌ  Ｐｏｓｉｔｉｏｎｉｎｇ  Ｓｙｓｔｅｍ）の機能を使用することができない場合に、カーナビゲーションシステムが加速度センサやジャイロセンサなどの情報を用いて自動車の移動方向と移動距離を推定する自律航法の技術を用いて算出すればよい。マップ情報取得部２０１は、取得した形状の部屋を複数の領域に分割する。そして、マップ情報取得部２０１は、例えば、設置担当者や利用者などによる位置情報の入力により、空調用室内機１０の吹き出し口の位置をマップに追加する。
【００２４】
また、例えば、マップ情報取得部２０１は、以下の方法で、空調用室内機１０が設置される室内のマップを示す情報を取得するものであってもよい。３つ以上のマイクのそれぞれを部屋の天井において位置が特定可能な異なる位置に設置する。空調用室内機１０を室内に設置する際に、設置担当者が環境設定端末２０を所持し、図６に示すように、室内を壁に沿って（図６に示す矢印の方向に）移動する。設置担当者が室内を移動中に、環境設定端末２０は、超音波を出力する。図示していないマップ生成装置は、各マイクが環境設定端末２０から超音波を受信したタイミングの差と各マイクの位置とに基づいて超音波を出力した環境設定端末２０の位置を算出し、部屋の形状を取得し、取得した形状の部屋を複数の領域に分割してマップを生成する。図示していないマップ生成装置は、例えば、設置担当者や利用者などによる位置情報の入力により、空調用室内機１０の吹き出し口の位置をマップに追加する。そして、マップ情報取得部２０１は、図示していないマップ生成装置からマップを取得する。
【００２５】
また、例えば、マップ情報取得部２０１は、空調用室内機１０が設置される室内の間取り情報またはＣＡＤ（Ｃｏｍｐｕｔｅｒ−Ａｉｄｅｄ  Ｄｅｓｉｇｎ）情報から前記マップを示す情報を取得するものであってよい。具体的には、マップ情報取得部２０１は、スキャナ機能を有し、室内の間取りを示す図面をスキャナ機能で読み取る。または、マップ情報取得部２０１は、カメラ機能を有し、そのカメラ機能で室内の間取りを示す図面を撮影する。間取りを示す図面には、手書きの図面が含まれる。利用者は、手書きされた間取りの外形について、直線や曲線に補正する指示をマップ情報取得部２０１に入力することができる。
【００２６】
直線または曲線は、例えば、コンピュータグラフィックスなどで用いられる、ベジエ曲線、スプライン曲線、制御点を通る折れ線などを用いて生成することが考えられる。一例として、上記のように生成した直線または曲線を表す関数を適用するための制御点をとるための画像処理方法のイメージを図７に示す。図７（ａ）を元画像とする。元画像をスキャンした画像を二値化し（図７（ｂ））、輪郭線を抽出する。その輪郭線に沿って適切な間隔（等間隔でなくてもよい）で制御点の座標を取得する（図７（ｃ））。制御点をベジエ曲線、スプライン曲線、折れ線などで補間する（図７（ｄ））。なお、閉曲線になるように始点と終点を一致させる。
また、図８に示すように、曲線に沿った座標の移動平均をとることで、ノイズの影響を低減するものであってもよい。
なお、上記の関数を使う際、例えばユーザがユーザインタフェースとして数値を入力することによって、関数の次数を設定できるものであってもよい。また、例えば「粗く」ボタンと「細かく」ボタンとを用意する。ユーザが「粗く」ボタンを押下回数に応じて曲線を再現する際にその曲線の部分の表示を担う画素の単位画素数を多くすることにより、元画像の曲線よりも粗い曲線を表示する。また、ユーザが「細かく」ボタンを押下回数に応じて曲線を再現する際にその曲線の部分の表示を担う画素の単位画素数を少なくすることにより、元画像の曲線よりも細かい曲線を表示する。このように、元画像の曲線を大まかに表示するのか忠実に表示するのかを調整することができるものであってもよい。また、表示はプレビューできるものであってもよい。
手書きされた間取りの外形を直線や曲線に補正する利用者による指示が入力された場合、マップ情報取得部２０１は、入力された指示に応じて間取りの外形を補正する。マップ情報取得部２０１は、スキャナ機能で読み取った間取り、または、カメラ機能で撮影した間取りをマップとして例えば記憶部２０４に書き込む。また、利用者は、室内の空間の高さ情報、及び、ドア、窓、障害物などの位置を示す情報を、座標を入力する操作または表示部２０２の表示画面上で指示する操作によって、マップ情報取得部２０１に入力する。これにより、マップ情報取得部２０１は、室内の空間の高さ情報、及び、ドア、窓、障害物などの位置を示す情報を有するマップを取得する。なお、室内の空間の高さ情報、及び、ドア、窓、障害物などの位置を示す情報は、利用者が指定する位置における空調制御装置３０による空調の制御に利用される。
なお、マップ情報取得部２０１は、部屋の壁が平面である、すなわち、部屋を俯瞰したときの形状に曲線が含まれない場合には、その部屋の各コーナーにおける位置情報のみから部屋の形状を特定し、生成されたマップを取得するものであってもよい。
【００２７】
なお、１つの領域の大きさは、任意の大きさであってよい。例えば、１つの領域の大きさは、予め決定されていてよい。また、例えば、１つの領域の大きさは、複数の候補が予め用意され、マップを生成する度に、マップの作成者が複数の候補の中から選択することにより決定されるものであってもよい。また、例えば、１つの領域の大きさは、マップを生成する度に、マップの作成者が領域の大きさを特定する数値（例えば、領域が四角形の場合には縦の長さと横の長さ）を指定することによって決定されるものであってもよい。１つの領域の大きさを一人の人物が占める領域とした場合には、同一の領域に複数人存在する可能性が低いため、それぞれの利用者が常に自分の好みの設定値に要求環境設定を設定することができる。
また、１つの領域の形状は、四角形以外に例えば六角形や三角形の格子の形状を含む任意の形状を選択することができるものであってよい。
【００２８】
また、室内が広い場合や格子が細かい場合には、表示部２０２の画面で利用者がピンチイン・ピンチアウト操作を行うことによりズームイン・ズームアウトされたり、利用者がフリックやスワイプ操作を行うことによりスクロールされるなど、設定されていてもよい。このように、表示部２０２の画面で利用者がズームイン・ズームアウト、スクロールなどの操作が行えるようにすることにより、利用者による誤操作の回数を低減することができる。
【００２９】
なお、マップは、各環境設定端末２０に共通の１つのみ存在し、新たにマップが生成される場合には、それまで存在していたマップに上書きされる。なお、利用者の指定する位置が利用者の位置そのものである場合、過去に利用者が訪れた各室内を示すマップとその室内の位置情報とその利用者の識別情報とを関連付けて例えば記憶部２０４に書き込み、位置情報を特定することで、その位置情報に関連付けられた利用者の識別情報とマップとが記憶部２０４から読み出されるようにしてもよい。利用者の現在位置を示す位置情報は、例えばＧＰＳ（Ｇｌｏｂａｌ  Ｐｏｓｉｔｉｏｎｉｎｇ  Ｓｙｓｔｅｍ）で取得してもよい。また、現在利用者がいる室内のマップを特定するための位置情報は、例えば、無線タグまたは各環境設定端末２０からの信号を室内に設けられた発信機（受信機）が受信したときに、位置情報を、その発信機が設けられた室内の位置として取得するものであってもよい。また、室内の入口に設けられたカードリーダに利用者の識別情報の記憶された入室カードをかざすことでその利用者の位置情報がそのカードリーダが設けられた室内の位置であるものとして取得されてもよい。また、前述のカードリーダの代わりに入室ゲートであってもよいし、パソコンにログインすることで利用者の位置が特定され、位置情報を取得するものであってもよい。
【００３０】
表示部２０２は、空調用室内機１０が設置される室内のマップを表示する。例えば、図９に示すように、部屋の形状、部屋を分割した各領域、部屋における空調用室内機１０の吹き出し口Ｆ（図９に示す例では２つ）を示すマップを表示する。また、例えば、表示部２０２は、図９に示すように、利用者が指定する要求環境設定の設定値（図９に示す例では温度と風量）を示す。なお、表示部２０２は、設置担当者が室内を移動中に、その移動に合わせてマップ生成装置が生成中のマップをスクロールし、表示部２０２が適切な縮尺にマップを調整する、または利用者が手動で適切な縮尺にマップを調整するものであってよい。
また、表示部２０２は、吹き出し口に限らず、障害物、ドア、窓、机、ソファー、タンス、棚、コピー機などを画面上に表示するものであってもよい。例えば、画面のマップ領域外に障害物、ドア、窓、机、ソファー、タンス、棚、コピー機などのパーツを示すイラストを予め用意し、利用者が表示部２０２の画面上でそれらのイラストをマップにドラッグアンドドロップするなどして配置を指定する。表示部２０２は、その指定に応じてマップにそれらのパーツを表示する。パーツの大きさや形状は、別の設定メニューから選択または入力できるようにしてもよいし、ピンチイン・ピンチアウト操作で調整できるようにする。なお、これらのパーツが配置されたマップの情報は、利用者が指定する位置のおける空調制御装置３０による空調の制御に利用されるものであってよい。また、さらに、室内の壁や室内に配置される物体の材質が設定されるものであってもよく、その場合、伝熱のしやすさを考慮して、利用者が指定する位置のおける空調制御装置３０による空調の制御が可能となる。
【００３１】
入力部２０３は、マップにおいて利用者が指定する位置、すなわち、マップにおいて空調設定したい位置（例えば、利用者が指定する位置）の入力を受け付ける。例えば、利用者が表示部２０２に表示されたマップにおいて、空調設定したい領域を指定する領域番号をカーソルで指定することで入力がされる。また、例えば、利用者は、表示部２０２に表示されたマップにおいて、領域を指定する座標を入力するボタンを押下することによって設定したい値を入力する。入力部２０３は、利用者による操作によって指定された領域を示す信号を受け付ける。
また、入力部２０３は、利用者による操作によって指定された温度及び風量を少なくとも含む要求環境設定の入力を受け付ける。入力部２０３は、受け付けた要求環境設定を記憶部２０４に書き込む。
【００３２】
記憶部２０４は、利用者の要求環境設定を記憶する。
通信部２０５は、入力部２０３が受け付けた、空調用室内機１０が設置される室内のマップにおいて利用者が指定する位置と、要求環境設定とが関連付けられた利用者設定情報を、空調制御装置３０に送信する。
【００３３】
空調制御装置３０は、図１０に示すように、通信部３０１と、制御部３０２と、を備える。
通信部３０１は、環境設定端末２０と通信を行う。具体的には、通信部３０１は、空調用室内機１０が設置される室内のマップにおいて利用者が指定する位置と、要求環境設定とが関連付けられた利用者設定情報を、環境設定端末２０から受信する。
また、通信部３０１は、空調用室内機１０と通信を行う。具体的には、通信部３０１は、環境設定端末２０から受信した要求環境設定が示す設定値を実現する制御信号を空調用室内機１０に送信する。
【００３４】
制御部３０２は、空調用室内機１０が送り出す風の温度、風量、風向などを制御する。具体的には、制御部３０２は、通信部３０１が環境設定端末２０から受信した要求環境設定が示す設定値を実現する制御信号を生成する。制御部３０２は、生成した制御信号を通信部３０１を介して空調用室内機１０に送信する。
【００３５】
次に、本発明の一実施形態による空調システム１の処理について説明する。
ここでは、図１１に示す環境設定端末２０の処理フローについて説明する。
【００３６】
マップ情報取得部２０１は、空調用室内機１０が設置される室内のマップを示す情報を取得する（ステップＳ１）。
マップ情報取得部２０１は、取得したマップを示す情報を表示部２０２に出力する。
【００３７】
表示部２０２は、マップ情報取得部２０１からマップを示す情報を受け取る。
表示部２０２は、マップ情報取得部２０１から受け取ったマップを示す情報に基づいて、空調用室内機１０が設置される室内のマップを表示する（ステップＳ２）。
例えば、図９に示すように、部屋の形状、部屋を分割した各領域、部屋における空調用室内機１０の吹き出し口Ｆ（図９に示す例では２つ）を示すマップを表示する。また、例えば、表示部２０２は、図９に示すように、利用者が指定する要求環境設定の設定値（図９に示す例では温度と風量）を示す。
【００３８】
利用者は、表示部２０２の表示を見て、マップにおける位置を指定する操作を環境設定端末２０に対して行う。
入力部２０３は、環境設定端末２０に対する利用者の操作に応じて、マップにおいて利用者が指定する位置、すなわち、マップにおいて空調設定したい位置の入力を受け付ける（ステップＳ３）。
具体的には、利用者が表示部２０２に表示されたマップにおいて、空調設定したい領域を指定する領域番号をカーソルで指定することで入力がされる。また、例えば、利用者は、表示部２０２に表示されたマップにおいて、領域を指定する座標を入力するボタンを押下することによって設定したい値を入力する。入力部２０３は、利用者による操作によって指定された領域を示す信号を受け付ける。
【００３９】
また、利用者は、指定した位置における温度及び風量を少なくとも含む要求環境設定の設定値を指定する設定を環境設定端末２０に対して行う。
入力部２０３は、環境設定端末２０に対する利用者の操作に応じて、指定された温度及び風量を少なくとも含む要求環境設定の入力を受け付ける（ステップＳ４）。入力部２０３は、受け付けた要求環境設定を記憶部２０４に書き込む（ステップＳ５）。
【００４０】
記憶部２０４は、利用者の要求環境設定を記憶する。
入力部２０３が位置の入力と要求環境設定の入力の両方を受け付けると、通信部２０５は、入力部２０３が受け付けたその位置と要求環境設定とが関連付けられた利用者設定情報を、空調制御装置３０に送信する（ステップＳ６）。
【００４１】
通信部３０１は、空調用室内機１０が設置される室内のマップにおいて利用者が指定する位置と、要求環境設定とが関連付けられた利用者設定情報を、環境設定端末２０から受信する。
【００４２】
制御部３０２は、通信部３０１が環境設定端末２０から受信した要求環境設定が示す設定値を実現する制御信号を生成する。制御部３０２は、生成した制御信号を通信部３０１を介して空調用室内機１０に送信する。
【００４３】
通信部１０１は、要求環境設定が示す設定値を実現する制御信号を空調制御装置３０から受信する。
【００４４】
送風機構１０２は、通信部１０１が受信した制御信号に応じた温度、風量、風向などの空気を生成して送風する。
【００４５】
なお、本発明の別の実施形態では、マップにおける利用者よる位置の指定は、表示部２０２が表示するアプリケーションやウェブページ上で、画面をタップまたはクリックすることにより行われてもよい。また、本発明の別の実施形態では、マップにおける利用者よる位置の指定は、指定する領域に割り当てた領域番号や座標をキーボードから入力することによって行われてもよい。
【００４６】
なお、本発明の別の実施形態では、マップの生成に環境設定端末２０またはその他の端末が行うＢｌｕｅｔｏｏｔｈ（登録商標）による通信に使用する信号に基づいて推定した位置を利用してもよい。例えば、室内に基地局を設置し、環境設定端末２０またはその他の端末から基地局が信号を受信した場合に、基地局からある距離の範囲内まで利用者が近づいたと判断して、基地局の位置を利用者の位置とするものであってもよい。また、例えば、室内に複数の基地局を設置し、環境設定端末２０またはその他の端末から各基地局が受信する信号の電波強度の差から、例えば２つの基地局ならば利用者が指定する位置はある線上の位置として算出され、３つ以上の基地局ならば利用者が指定する位置は三点測量の原理にしたがった位置として算出されてもよい。
【００４７】
以上、本発明の一実施形態による空調システム１について説明した。
本発明の一実施形態による空調システム１において、環境設定端末２０は、利用者が要求する要求環境設定に応じて空調用室内機１０の制御を行う空調制御装置の環境設定端末である。環境設定端末２０は、空調用室内機１０が設置される室内のマップを表示する表示部２０２（マップ表示部の一例）と、マップにおいて利用者が指定する位置の入力を受け付ける入力部２０３（位置入力部の一例）と、利用者の要求環境設定を記憶する記憶部２０４と、マップにおいて利用者が指定する位置と要求環境設定とが関連付けられた利用者設定情報を、空調制御装置３０に送信する通信部２０５（送信部の一例）と、を備える。
このように、環境設定端末２０が表示部２０２を備えることにより、利用者は、表示部２０２に表示されるマップを見ながら室内における任意の位置を容易に指定することができる。
【００４８】
また、本発明の一実施形態による空調システム１において、環境設定端末２０は、マップ情報取得部２０１を備える。マップ情報取得部２０１は、空調用室内機１０が設置される室内のマップを示す情報を取得する。
このように、環境設定端末２０がマップ情報取得部２０１を備えることにより、利用者が見るマップを示す情報を容易に取得することができる。
【００４９】
なお、本発明の別の実施形態では、空調用室内機１０が設置される室内のマップにおける各領域ごとに環境設定端末２０が設けられており、環境設定端末２０が領域と位置とを関連付ける。利用者は、空調設定の対象となるマップにおける領域に関連付けられた環境設定端末２０から、利用者設定情報を、空調制御装置３０に送信する。
このように、空調設定の対象となる位置に関連付けられた環境設定端末２０から、利用者設定情報を、空調制御装置３０に送信することにより、利用者は、マップにおいて空調設定の対象となる領域を確実に指定することができる。
【００５０】
なお、本発明の別の実施形態による表示部２０２は、２次元の平面でマップを表示するのではなく、３次元の立体的な空間としてマップを表示するものであってもよい。この場合、利用者が指定する位置は、３次元の立体的な空間における位置であってよい。そして、空調制御装置３０は、利用者が指定した３次元の立体的な空間における位置の空調を制御してよい。
【００５１】
なお、本発明の実施形態における処理は、適切な処理が行われる範囲において、処理の順番が入れ替わってもよい。
【００５２】
本発明の実施形態における記憶部や記憶装置（レジスタ、ラッチを含む）のそれぞれは、適切な情報の送受信が行われる範囲においてどこに備えられていてもよい。また、記憶部や記憶装置のそれぞれは、適切な情報の送受信が行われる範囲において複数存在しデータを分散して記憶していてもよい。
【００５３】
本発明の実施形態について説明したが、上述の空調用室内機１０、環境設定端末２０、空調制御装置３０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図１２は、少なくとも１つの実施形態に係るコンピュータの構成を示す概略ブロック図である。
コンピュータ５は、図１２に示すように、ＣＰＵ６、メインメモリ７、ストレージ８、インターフェース９を備える。
例えば、上述の空調用室内機１０、環境設定端末２０、空調制御装置３０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００５４】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００５５】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００５６】
本発明のいくつかの実施形態を説明したが、これらの実施形態は、例であり、発明の範囲を限定しない。これらの実施形態は、発明の要旨を逸脱しない範囲で、種々の追加、種々の省略、種々の置き換え、種々の変更を行ってよい。
【符号の説明】
【００５７】
１・・・空調システム
５・・・コンピュータ
６・・・ＣＰＵ
７・・・メインメモリ
８・・・ストレージ
９・・・インターフェース
１０・・・空調用室内機
２０・・・環境設定端末
３０・・・空調制御装置
１０１、２０５、３０１・・・通信部
１０２・・・送風機構
２０１・・・マップ情報取得部
２０２・・・表示部
２０３・・・入力部
２０４・・・記憶部
３０２・・・制御部
【図１】
2019027602.tif 000003
【図２】
2019027602.tif 000004
【図３】
2019027602.tif 000005
【図４】
2019027602.tif 000006
【図５】
2019027602.tif 000007
【図６】
2019027602.tif 000008
【図７】
2019027602.tif 000009
【図８】
2019027602.tif 000010
【図９】
2019027602.tif 000011
【図１０】
2019027602.tif 000012
【図１１】
2019027602.tif 000013
【図１２】
2019027602.tif 000014